(57)【特許請求の範囲】
【請求項１】
折り畳み自転車において、
ハンドルが固定されるヘッドパイプと、
シートが固定されるシートパイプと、
前記ヘッドパイプと着脱可能に連結されるとともに前記シートパイプの下端が枢着されたメインフレームと、
一端を前記ヘッドパイプに他端を前記メインフレームに枢着されたヘッドリンクと、
一端を前記シートパイプに枢着されたシートリンクと、
一端を前記シートリンクの他端に枢着され、前記ヘッドリンクより下方において他端を前記ヘッドパイプに枢着されるとともに、前記メインフレームと枢着されたサイドフレームとを備え、
前記折り畳み自転車を折り畳んだ場合に、
前記シートパイプの下端と、前記シートリンクと前記サイドフレームとの枢着点と、の距離を、
前記シートパイプの下端と、前記シートパイプと前記シートリンクとの枢着点と、を結ぶ距離と、前記シートリンクの長さと、の和よりも小さくなるように構成することにより、折り畳んだ状態が保たれる
ことを特徴とする折り畳み自転車。
【請求項２】
請求項１に記載の折り畳み自転車において、
前記ヘッドリンクは、前記メインフレームに沿って配置される
ことを特徴とする折り畳み自転車。
【請求項３】
請求項１または請求項２に記載の折り畳み自転車において、
前記サイドフレームと前記メインフレートとは、側面視略Ｘ字状に交差する
ことを特徴とする折り畳み自転車。
【請求項４】
請求項１乃至請求項３のいずれか一項に記載の折り畳み自転車において、
前記シートリンクと前記サイドフレームとは側面視略直線状である
ことを特徴とする折り畳み自転車。
【請求項５】
請求項１乃至請求項４のいずれか一項に記載の折り畳み自転車において、
前記メインフレームは、前記ヘッドパイプとの係合を解除するロックレバーを備える
ことを特徴とする折り畳み自転車。
【請求項６】
請求項１乃至請求項５のいずれか一項に記載の折り畳み自転車において、
前記シートリンクは、下方に凸の湾曲形状フレームである
ことを特徴とする折り畳み自転車。
【請求項７】
請求項１乃至請求項６のいずれか一項に記載の折り畳み自転車において、
折り畳んだ場合に、
前記シートリンクと前記サイドフレームとの枢着点の方が、前記シートパイプの下端と、前記シートパイプと前記シートリンクとの枢着点と、を結ぶ直線よりも、後方に配置される
ことを特徴とする折り畳み自転車。
【請求項８】
請求項１乃至請求項７のいずれか一項に記載の折り畳み自転車において、
折り畳んだ場合に、
前記シートと、前記メインフレームの係合解除された上端と、前記ハンドルとが、略水平に位置する
ことを特徴とする折り畳み自転車。
【請求項９】
請求項１乃至請求項８のいずれか一項に記載の折り畳み自転車の前記シートパイプの後方側において、前記シートリンクと前記下端との間に配置されたバッテリを備える
ことを特徴とする折り畳み電動自転車。
【発明の詳細な説明】
【技術分野】
【０００１】
本発明は、折り畳み自転車と折り畳み電動自転車とに関する。
【背景技術】
【０００２】
折り畳み自転車には、種々のタイプのものが知られている。例えば、下記特許文献１には、フレームを折り畳んだ状態で検出手段が折り畳み状態を認識し、使用者が誤って電源キーを操作してもモータは作動しないので誤操作による暴走やトラブルの発生を防止することができる自転車が開示されている。
【先行技術文献】
【特許文献】
【０００３】
【特許文献１】特開２００４−３２２９８６
【発明の概要】
【発明が解決しようとする課題】
【０００４】
しかし、従来の折り畳み自転車は、折り畳み及び展開に手間がかかる傾向にあり、より容易かつ安全に折り畳み及び展開することが可能な折り畳み自転車が望まれるところであった。
【０００５】
本発明はこのような問題点に鑑みなされたものであり、より容易かつ安全に折り畳み及び展開可能な自転車を提供することを目的とする。
【課題を解決するための手段】
【０００６】
本発明にかかる折り畳み自転車は、ハンドルが固定されるヘッドパイプと、シートが固定されるシートパイプと、ヘッドパイプと着脱可能に連結されるとともにシートパイプの下端と枢着されたメインフレームと、一端をヘッドパイプに他端をメインフレームに枢着されたヘッドリンクと、一端をシートパイプに枢着されたシートリンクと、一端をシートリンクの他端に枢着され、ヘッドリンクより下方において他端をヘッドパイプに枢着されるとともに、メインフレームと枢着されたサイドフレームとを備えることを特徴とする。
【０００７】
本発明にかかる折り畳み自転車は、好ましくはヘッドリンクが、メインフレームに沿って配置されることを特徴とする。
【０００８】
本発明にかかる折り畳み自転車は、さらに好ましくはサイドフレームとメインフレームとは、側面視略Ｘ字状に交差することを特徴とする。
【０００９】
本発明にかかる折り畳み自転車は、さらに好ましくはシートリンクとサイドフレームとが、側面視略直線状であることを特徴とする。
【００１０】
本発明にかかる折り畳み自転車は、さらに好ましくはメインフレームが、ヘッドパイプとの係合を解除するロックレバーを備えることを特徴とする。
【００１１】
本発明にかかる折り畳み自転車は、さらに好ましくはシートリンクが、下方に凸の湾曲形状フレームであることを特徴とする。
【００１２】
本発明にかかる折り畳み自転車は、さらに好ましくは折り畳んだ場合に、シートパイプの下端と、シートリンクとサイドフレームとの枢着点と、の距離が、シートパイプの下端と、シートパイプとシートリンクとの枢着点と、を結ぶ距離と、シートリンクの長さと、の和よりも小さいことを特徴とする。
【００１３】
本発明にかかる折り畳み自転車は、さらに好ましくは折り畳んだ場合に、シートリンクとサイドフレームとの枢着点の方が、シートパイプの下端と、シートパイプとシートリンクとの枢着点と、を結ぶ直線よりも、後方に配置されることを特徴とする。
【００１４】
本発明にかかる折り畳み自転車は、さらに好ましくは折り畳んだ場合に、シートと、メインフレームの係合解除された上端と、ハンドルとが、略水平に位置することを特徴とする。
【００１５】
本発明にかかる折り畳み電動自転車は、上述のいずれかに記載の折り畳み自転車のシートパイプの後方側において、シートリンクと下端との間に配置されたバッテリを備えることを特徴とする。
【発明の効果】
【００１６】
本発明により、より容易かつ安全に折り畳み及び展開可能な自転車を提供できる。
【図面の簡単な説明】
【００１７】
【図１】第一の実施形態にかかる折り畳み自転車を説明する図である。
【図２】第一の実施形態にかかる折り畳み自転車を説明する図である。
【図３】第一の実施形態にかかる折り畳み自転車を説明する図である。
【図４】第二の実施形態にかかる折り畳み電動自転車を説明する図である。
【図５】第二の実施形態にかかる折り畳み電動自転車を説明する図である。
【図６】第二の実施形態にかかる折り畳み電動自転車を説明する図である。
【発明を実施するための形態】
【００１８】
（第一の実施形態）
図１乃至図３は、第一の実施形態にかかる折り畳み自転車１０００を説明する図である。図１は、折り畳み自転車１０００を乗車可能なように展開した状態を説明する側面図である。
【００１９】
また、図２は、展開された折り畳み自転車１０００から折り畳み途中の状態を説明する側面図である。また、図３は、折り畳まれた状態の折り畳み自転車１０００を説明する側面図である。
【００２０】
図１乃至図３に示すように、折り畳み自転車１０００は、ハンドルが固定された直線状のヘッドパイプ１３０を備える。また、折り畳み自転車１０００は、シートが固定された直線状のシートパイプ１２０を備える。図１において、ヘッドパイプ１３０とシートパイプ１２０とは、展開された状態において側面視略平行である。
【００２１】
また、シートパイプ１２０とヘッドパイプ１３０との間は、メインフレーム１１０で連結される。シートパイプ１２０の下端１８３は、メインフレーム１１０に回動可能に枢着されている。
【００２２】
また、メインフレームの上端１１６は、ヘッドパイプ１３０に、ロックレバー１１５によって着脱可能に係止されている。メインフレームの上端１１６は、フック形状のロックを備えており、ヘッドパイプ１３０のバーに係合させて回動可能に枢着される。ロックレバー１１５を下方に引くと、バーへのロックが解除され、メインフレームの上端１１６とヘッドパイプ１３０との間の係合が解除される。
【００２３】
また、折り畳み自転車１０００は、メインフレーム１１０とヘッドパイプ１３０との間に、枢着点１８６，１８５で回動可能に両端を枢着されたヘッドリンク１６０を備える。図１に示すようにヘッドリンク１６０は、メインフレームの上端１１６からメインフレーム１１０に沿って配置される。
【００２４】
すなわち、ヘッドリンク１６０の一端はヘッドパイプ１３０に枢着点１８６で枢着され、ヘッドリンク１６０の他端は枢着点１８５でメインフレームに枢着される。
【００２５】
また、折り畳み自転車１０００は、メインフレームの上端１１６より下方の枢着点１８０において、ヘッドパイプ１３０に一端が枢着されたサイドフレーム１４０を回動可能に備える。また、サイドフレーム１４０は、アルミニウム合金で形成してもよいし鉄合金で形成してもよい。
【００２６】
また、折り畳み自転車１０００は、シートパイプ１２０に枢着点１８４で回動可能に一端を枢着されたシートリンク１５０を備える。また、シートリンク１５０の他端は、サイドフレーム１４０の他端と、枢着点１８２で回動可能に枢着されている。
【００２７】
また、図１において、サイドフレーム１４０は、枢着点１８１においてメインフレーム１１０との間で略Ｘ字状となるように、メインフレーム１１０に枢着されている。
【００２８】
また、図１に示す展開された状態の折り畳み自転車１０００は、ロックレバー１１５でのロックにより、メインフレーム１１０が、ヘッドパイプ１３０に係止されている。また、折り畳み自転車１０００を折り畳む場合には、ロックレバー１１５を下方に引いてメインフレームの上端１１６のヘッドパイプ１３０への係合を解除した上で、ハンドルを後方に引きつつシートを前方に押す。
【００２９】
すなわち、ハンドルとシートとを近づけるように両者を引き寄せる。この動作により、折り畳み自転車１０００は、メインフレームの上端１１６が上方へ移動し、図２から図３に示すような状態へと安定して容易に折り畳むことができる。
【００３０】
また、枢着点１８２が上方へ凸状態となるように、シートリンク１５０とサイドフレーム１４０とが、略ヘの字状を形成して近接する。また、枢着点１８５は、メインフレームの上端１１６の上方への移動に対応して、枢着点１８６よりも上方へと移動する。
【００３１】
そして、図３に示すように、ヘッドパイプ１３０とメインフレーム１１０とシートパイプ１２０とが、すべて略垂直状態となってコンパクトな形状に容易に折り畳まれることとなる。
【００３２】
また、図２に示すように、折り畳み途中の折り畳み自転車１０００は、枢着点１８３と枢着点１８４とを結ぶ直線よりも、枢着点１８２が前方にあるため、折り畳み自転車１０００には展開されようとする作用が働く。すなわち、枢着点１８２が前方へ移動しようとする作用が働く。
【００３３】
一方、図３に示すように、完全に折り畳まれた折り畳み自転車１０００は、枢着点１８３と枢着点１８４とを結ぶ直線よりも、枢着点１８２が後方にあるため、折り畳み自転車１０００にはより折り畳まれようとする作用が働く。すなわち、枢着点１８２が後方へ移動しようとする作用が働く。
【００３４】
このため、折り畳み自転車１０００は、図３に示すような折り畳み状態に極めて容易に収納できるとともに、折り畳み状態を固定する固定具等を用いなくても、安定した安全な折り畳み状態を保持することが可能である。
【００３５】
また、図３から理解できるように、折り畳み状態においては、枢着点１８３と枢着点１８２との距離は、枢着点１８３と枢着点１８４との距離と枢着点１８４と枢着点１８２との距離との和より小さくなる。
【００３６】
そして、図３に示すような安定した折り畳み状態となる直前に、枢着点１８３と枢着点１８２との距離が、枢着点１８３と枢着点１８４との距離と枢着点１８４と枢着点１８２との距離との和と等しくなる状態、すなわち、枢着点１８３，１８４，１８２が一直線となる状態、を経由する。
【００３７】
これにより、折り畳み自転車１０００は、図３に示すような極めて安定した折り畳み状態を容易に維持することが可能となる。また、図１から理解されるように、シートリンク１５０は、展開状態において下方に凸の側面視湾曲形状とすることがより好ましい。また、サイドフレーム１４０は、展開状態において、枢着点１８２と枢着点１８１との間で、下に凸状態の側面視湾曲形状とすることがより好ましい。
【００３８】
（第二の実施形態）
図４乃至図６は、図１乃至図３に対応する第二の実施形態の折り畳み電動自転車２０００を説明する図である。
【００３９】
第二の実施形態にかかる折り畳み電動自転車２０００は、第一の実施形態の折り畳み自転車１０００とバッテリ２００を追加的に備えることを除いて、同一であるので同一の符号を付して説明の重複を避けるためにここでは説明を省略する。
【００４０】
また、図３と図６とに示すように、完全に折り畳んだ状態において、シートリンク１５０とサイドフレーム１４０とは、重畳されることが好ましい。
【００４１】
上述した折り畳み自転車１０００と折り畳み電動自転車２０００は、上述した説明に限定されることはなく、自明な範囲で適宜それらの形状や構造を変更し、また自明な範囲で異なる材料を用いて構成してもよい。
【産業上の利用可能性】
【００４２】
本発明は、レジャー用折り畳み自転車等に幅広く利用できる。
【符号の説明】
【００４３】
１０００・・・折り畳み自転車、１１０・・メインフレーム、１２０・・シートパイプ、１３０・・ヘッドパイプ、１４０・・サイドフレーム、２０００・・折り畳み電動自転車。
【図１】
0005553381.tif 000002
【図２】
0005553381.tif 000003
【図３】
0005553381.tif 000004
【図４】
0005553381.tif 000005
【図５】
0005553381.tif 000006
【図６】
0005553381.tif 000007